(57)【要約】【課題】利便性がよい表示装置を提供する。【解決手段】表示装置１は、コンテンツを表示する表示部２を含む本体部と、本体部の厚み方向に互いに重なる複数の第１板部材２０を含み、複数の第１板部材２０のそれぞれを本体部の外周の外側に向って進退可能な第１可動部２１と、表示部２で表示するコンテンツのページに応じて複数の第１板部材２０の進退を制御することによって、第１可動部２１のうち本体部の外周の外側へ突出している部分の厚みを制御する制御部５と、を備える。【選択図】図２
2012255877.tif 000002
【特許請求の範囲】
【請求項１】
コンテンツを表示する表示部を含む本体部と、
前記本体部の厚み方向に互いに重なる複数の第１板部材を含み、前記複数の第１板部材のそれぞれを前記本体部の外周の外側に向って進退可能な第１可動部と、
前記表示部で表示するコンテンツのページに応じて前記複数の第１板部材の進退を制御することによって、前記第１可動部のうち前記本体部の外周の外側へ突出している部分の厚みを制御する制御部と、を備える表示装置。
【請求項２】
前記複数の第１板部材とは前記表示部の表示領域を挟んで反対側に設けられて前記表示部の厚み方向に互いに重なる複数の第２板部材を含み、前記複数の第２板部材のそれぞれを前記本体部の外周の外側に向って進退可能な第２可動部を備え、
前記制御部は、前記第１可動部のうち前記本体部の外周の外側へ突出している部分の厚みを減少させるときに、前記複数の第２板部材の進退を制御することによって前記第２可動部のうち前記本体部の外周の外側へ突出している部分の厚みを増加させる請求項１に記載の表示装置。
【請求項３】
前記制御部は、前記表示部で表示するコンテンツのページのうち予め登録された登録ページに対応する前記第１板部材を他の第１板部材に対して進退移動させる請求項１又は２に記載の表示装置。
【請求項４】
前記表示部は、前記登録ページを登録されたページであることを示す画像とともに表示する請求項３に記載の表示装置。
【請求項５】
前記制御部は、前記第１板部材が外部から力を受けたときに前記表示部で表示されているコンテンツのページを前記登録ページとして登録する請求項３又は４に記載の表示装置。
【請求項６】
前記表示部は、前記第１板部材が外部から力を受けたときに表示するページを切替える請求項１から５のいずれか一項に記載の表示装置。
【請求項７】
前記制御部は、前記表示部で表示するコンテンツの情報に基づいて前記第１可動部を制御する請求項１から６のいずれか一項に記載の表示装置。
【請求項８】
前記コンテンツの情報は、前記表示部で表示するコンテンツの総ページ数を含み、
前記制御部は、前記第１可動部に含まれる前記第１板部材の数と前記総ページ数とに基づいて前記第１板部材に割り当てられたページの表示が他のページの表示に切替えられるときに、該第１板部材を前記本体部の外周の外側に向って進退させる請求項７に記載の表示装置。
【請求項９】
前記コンテンツの情報は、前記表示部で表示するコンテンツの種類を含み、
前記制御部は、前記複数の第１板部材の進退に関して前記種類と関連づけられた制御を行う請求項７又は８に記載の表示装置。
【請求項１０】
前記表示部は、前記種類に応じて、コンテンツの開始ページから終了ページへ向う順にページを送りながら表示する請求項９に記載の表示装置。
【請求項１１】
前記制御部は、前記種類に応じて、前記第１板部材を前記本体部の厚み方向に並ぶ順に前記本体部の外周の外側に向って進退させる請求項１０に記載の表示装置。
【請求項１２】
前記制御部は、前記種類に応じて、前記複数の第１板部材を前記本体部の外周の内側に格納させる請求項９に記載の表示装置。
【請求項１３】
前記制御部は、コンテンツのうち予め登録された登録ページを抽出して前記表示部に表示させ、前記登録ページに対応する前記第１板部材を他の第１板部材に対して前記本体部の外周の外側に向って進退移動させる請求項９に記載の表示装置。
【発明の詳細な説明】
【技術分野】
【０００１】
本発明は、表示装置に関する。
【背景技術】
【０００２】
近年、携帯情報端末等のような、電子データ化された書籍やデジタルカメラで撮影された画像等のコンテンツを表示・閲覧できる表示装置が普及している。ユーザは、このような表示装置でコンテンツを閲覧する場合に、表示装置のボタンや表示画面上のタッチパネルを操作して、ページをめくることができる。また、下記の特許文献１に示すように、ページの厚みを触覚で感じることが可能な表示装置も提案されている。
【０００３】
ところで、紙媒体等で読書をする読書家は、気になる箇所のあるページの端を折り曲げて、ドッグイヤー等と呼ばれる印をつけることがある。ドックイヤー等が設けられた箇所は、後から閲覧する際に触覚等で容易に判別することができる。ユーザは、上記のような表示装置においてコンテンツの気になる箇所、重要と思う箇所をチェックしたいときに、表示装置のボタンや表示画面上のタッチパネルを操作して、チェックマーク等を登録することができる。
【先行技術文献】
【特許文献】
【０００４】
【特許文献１】特開２００７−５８５６０号公報
【発明の概要】
【発明が解決しようとする課題】
【０００５】
上記のような表示装置は、例えばページの扱いが実物の書籍等とかけ離れていると、使い勝手（利便性）が悪くなる可能性がある。本発明は、上記の事情に鑑みなされたものであり、使い勝手がよい表示装置を提供することを目的とする。
【課題を解決するための手段】
【０００６】
本発明の一態様の表示装置は、コンテンツを表示する表示部を含む本体部と、本体部の厚み方向に互いに重なる複数の第１板部材を含み、複数の第１板部材のそれぞれを本体部の外周の外側に向って進退可能な第１可動部と、表示部で表示するコンテンツのページに応じて複数の第１板部材の進退を制御することによって、第１可動部のうち本体部の外周の外側へ突出している部分の厚みを制御する制御部と、を備える。
【発明の効果】
【０００７】
本発明によれば、利便性がよい表示装置を提供することができる。
【図面の簡単な説明】
【０００８】
【図１】本実施形態の表示装置の外観図である。
【図２】本実施形態の表示装置の構成を示す説明図である。
【図３】本実施形態の表示装置の構成を示すブロック図である。
【図４】本実施形態の可動部の外観図である。
【図５】本実施形態の表示装置の処理フローを示す図である。
【図６】本実施形態の表示装置のページ制御の説明図である。
【図７】本実施形態の表示装置のドッグイヤー制御の説明図である。
【図８】本実施形態の表示装置のドッグイヤー制御の説明図である。
【図９】本実施形態の表示装置の抽出表示制御の説明図である。
【図１０】本実施形態の表示装置の抽出表示制御の説明図である。
【図１１】本実施形態の表示装置のスライドショー制御の説明図である。
【図１２】本実施形態の表示装置のスライドショー制御の説明図である。
【発明を実施するための形態】
【０００９】
図１は、本実施形態の表示装置の外観図である。図２は、本実施形態の表示装置の構成を示す説明図である。図３は、本実施形態の表示装置の構成を示すブロック図である。
図４は、本実施形態の可動部の外観図である。
【００１０】
図１及び図２に示す表示装置１は、例えば携帯情報端末等であり、電子データ化された書籍やデジタルカメラで撮影された画像等の各種のコンテンツを表示可能である。表示装置１は、コンテンツを表示する表示部２を含む本体部３と、ページ操作インターフェース４と、本体部３に収容された制御部５とを備える。図３に示すように、表示部２は、バス６を介して制御部５と接続されている。制御部５は、バス６を介して表示部２に画像データを送信すること、表示部２を制御すること、及びページ操作インターフェース４を制御することができる。
【００１１】
本実施形態の表示装置１は、その厚み方向から見てほぼ矩形の板状である。表示装置１は、第１面（以下、表面１０という）と、表面１０の反対方向を向く第２面（以下、裏面１１という）と、表面１０の外周と裏面１１の外周とを結ぶ側部１２とを有する。
【００１２】
本実施形態において、図１等に示すＸＹＺ直交座標系を設定し、このＸＹＺ直交座標系を参照しつつ各部の位置関係について説明する。このＸＹＺ直交座標系において、Ｘ軸方向及びＹ軸方向は、それぞれ表面１０に平行で互いに直交する方向であり、Ｚ軸方向は表示装置１の厚み方向に平行な方向である。本実施形態において、表示装置１の厚み方向から見た一辺は、Ｘ軸方向とほぼ平行であり、他辺はＹ軸方向とほぼ平行である。
【００１３】
本実施形態の本体部３は、表示部２、及び表示部２を保持する筐体１３を含む。本実施形態の表示部２は、タッチパネルであり、表面１０の外周よりも内側に表示領域１４を有する表示素子１５と、表示素子１５の表示領域１４上に設けられたタッチパッド１６とを含む。ユーザは、表示素子１５の画面をタッチパッド１６を通して観察しながら、表示するコンテンツの選択や表示するページの指定等の各種の操作をタッチパッド１６で行うこと等ができる。
【００１４】
表示素子１５は、例えば液晶表示素子や有機エレクトロルミネッセンス表示素子、電気泳動表示素子等の表示素子を含んで構成される。本実施形態において、制御部５は、コンテンツを示す画像データを表示素子１５に供給し、表示素子１５は、制御部５に制御されて表示領域１４にコンテンツを表示する。
【００１５】
本実施形態の表示装置１は、加速度センサ等のように鉛直方向を検出可能な姿勢センサを備え、制御部５は、姿勢センサの検出結果に基づいて表示素子１５を制御する。例えば、図１に示す表示装置１において、−Ｙ側の端部が＋Ｙ側の端部よりも下方である場合に、制御部５は、表示するページのうちの先頭部分が表示領域１４の＋Ｙ側に表示されるように、調整された画像データを表示素子１５に供給する。
【００１６】
タッチパッド１６（操作部）は、抵抗膜方式や静電容量方式等のタッチパッドを含んで構成される。本実施形態のタッチパッド１６は、外部からの入力結果を示す入力データを制御部５へ出力する。制御部５は、タッチパッド１６からの入力データに基づいて、表示素子１５やページ操作インターフェース４を制御することができる。ユーザは、タッチパッド１６へ入力することによって、各種の操作を行うことができる。
【００１７】
本実施形態の筐体１３は、表面１０のうち表示領域１４を枠状に囲む外縁部１７と、側部１２のほぼ全域と、裏面１１のほぼ全域とを含む。外縁部１７や側部１２には、必要に応じて、記憶媒体等の外部装置を接続可能な端子、表示装置１のオンオフを切替えるための電源スイッチ、表示装置１への入力を受け付ける入力部等が設けられることがある。
【００１８】
本実施形態のページ操作インターフェース４は、複数の第１板部材２０を含む第１可動部２１と、複数の第１板部材２０のそれぞれを移動する第１アクチュエータ２２と、複数の第２板部材２３を含む第２可動部２４と、複数の第２板部材２３のそれぞれを移動する第２アクチュエータ２５とを含む。
【００１９】
図２及び図４に示す複数の第１板部材２０は、筐体１３の＋Ｘ側の外縁部１７に配置されており、表示装置１の厚み方向（Ｚ軸方向）から見て互いに重なるように設けられている。各第１板部材２０は、例えばプラスチック等で形成された板状である。各第１板部材２０の厚みは、例えば数十μｍ程度から数ｍｍ程度までの範囲に設定される。
【００２０】
複数の第１板部材２０は、それぞれ、本体部３の外周の内側から外側に向う方向に側部１２から進退可能に設けられている。本実施形態において、各第１板部材２０は、表示部２の厚み方向と交差する方向（ここではＸ軸方向）において、一方側（−Ｘ側）から他方側（＋Ｘ側）へ向って移動できるように、また他方側（＋Ｘ側）から一方側（−Ｘ側）へ向って移動できるように設けられている。各第１板部材２０は、他の第１板部材２０の移動を妨げないように設けられている。例えば、複数の第１板部材２０は、互いに隙間をあけて保持されていてもよく、この隙間は、第１板部材２０の厚みよりも小さく設定されていてもよい。
【００２１】
本実施形態において、第１板部材２０の進退方向（Ｘ軸方向）に対する幅（Ｙ軸方向の寸法）は、筐体１３のＹ軸方向の寸法よりも小さい。各第１板部材２０は、その全体が筐体１３に収容される位置と、その一部が筐体１３の外部に張り出す位置との間で移動可能である。本実施形態において、複数の第１板部材２０は、進退方向の長さが互いに異なっている。第１板部材２０の進退方向の長さは、複数の第１板部材２０のうち裏面１１側に配置されている第１板部材２０であるほど、長い。
【００２２】
第１アクチュエータ２２は、複数の第１板部材２０のそれぞれを互いに独立して移動することができる。本実施形態の第１アクチュエータ２２は、各第１板部材２０の全体が筐体１３に収容されている位置と、各第１板部材２０の一部が筐体１３の外部に張り出す位置との間で、各第１板部材２０を移動することができる。
【００２３】
第１アクチュエータ２２は、筐体１３に収容されている。第１アクチュエータ２２は、制御部５と電気的に接続されており、制御部５に制御されて第１板部材２０を移動する。本実施形態において、第１アクチュエータ２２は、複数の第１板部材２０のうち裏面１１側に配置されている第１板部材２０であるほど筐体１３の外周よりも外側に向って突出するように、第１板部材２０を移動することができる。
【００２４】
複数の第２板部材２３は、複数の第１板部材２０とは表示領域１４を挟んで反対側（−Ｘ側）の外縁部１７に配置されている。複数の第２板部材２３は、表示領域１４のＸ軸方向の中心線に関して、複数の第１板部材２０と対称的に配置されている。本実施形態の第２板部材２３は、第１板部材２０と同様の部材であり、第１板部材２０と同じ数だけ設けられている。第２アクチュエータ２５は、第１アクチュエータ２２と同様であり、複数の第２板部材２３のそれぞれを互いに独立して移動することができる。第２アクチュエータ２５は、各第２板部材２３をＸ軸方向に移動することができる。
【００２５】
図３に示すように、本実施形態のページ操作インターフェース４は、第１可動部２１の各第１板部材２０が外部から受ける力を検出する第１センサ２６と、第２可動部２４の各第２板部材２３が外部から受ける力を検出する第２センサ２７とを含む。第１センサ２６の検出結果及び第２センサ２７の検出結果は、制御部５に出力される。制御部５は、第１センサ２６の検出結果と第２センサ２７の検出結果の少なくとも一方に基づいて、表示部２とページ操作インターフェース４の少なくとも一方を制御することができる。ユーザは、第１可動部２１の第１板部材２０に触れて力を加えることにより、表示装置１へ各種の入力を行うことができる。
【００２６】
なお、第１センサ２６は、例えば感圧センサであって、第１板部材２０の一部であってもよい。この場合に、表示装置１は、ユーザが第１板部材２０の感圧センサに触れることによって、操作可能であってもよい。また、第２センサ２７についても同様に、第２板部材２３の一部であってもよい。
【００２７】
図３に示す制御部５は、中央処理部３０、コンテンツ制御部３１、インターフェース制御部３２、及び記憶部３３を含む。制御部５の各部は、バス６と接続されている。制御部５は、中央処理部３０、コンテンツ制御部３１、インターフェース制御部３２の少なくとも一部がＣＰＵ等で構成されており、例えば記憶部３３等に格納されたプログラムに従ってＣＰＵがコンテンツを表示するための処理を実行する構成でもよい。制御部５は、中央処理部３０、コンテンツ制御部３１、インターフェース制御部３２の少なくとも一部がＡＳＩＣ等で構成されていてもよい。
【００２８】
中央処理部３０は、表示部２の表示素子１５に画像データを供給し、この画像データが示す画像を表示素子１５の表示領域１４に表示させることができる。中央処理部３０は、必要に応じて、元画像データにレンダリング処理等の各種画像処理を施して、実際に表示する画像を示す画像データを生成することができる。
【００２９】
コンテンツ制御部３１は、コンテンツに関するデータを読み出すことができる。コンテンツに関するデータは、コンテンツを表示する上で必要な表示用データと、コンテンツの属性（プロパティ）等を示すコンテンツ情報データとを含む。表示装置１は、コンテンツに関するデータを格納した外部の記憶媒体に有線又は無線で接続可能であって、コンテンツ制御部３１は、表示用データとコンテンツ情報データの少なくとも一方を外部の記憶媒体から読み出してもよい。上記の記憶媒体が例えば不揮発メモリー等であって、表示装置１は、この記憶媒体と直接的に接続可能でもよい。また、上記の記憶媒体が例えばサーバーの一部等であって、表示装置１は、この記憶媒体にインターネット等を介して間接的に接続可能でもよい。
【００３０】
コンテンツ情報データは、新聞やビジネス書等の実用書、小説、写真集等のコンテンツの種類を示す種類データと、コンテンツの総ページ数を示すページ数データとを含む。また、コンテンツ情報データは、ユーザが登録した登録ページを示す登録ページデータを含む場合がある。コンテンツ制御部３１は、取得したコンテンツに関するデータの少なくとも一部を記憶部３３に格納させることができる。また、コンテンツ情報データは、このコンテンツをユーザが閲覧した履歴を示す履歴データを含むことがある。
【００３１】
インターフェース制御部３２は、ページ操作インターフェース４の第１アクチュエータ２２を制御することによって、第１可動部２１の第１板部材２０の進退を制御することができる。すなわち、インターフェース制御部３２は、第１可動部２１のうち筐体１３（本体部３）の外周の外側へ突出している部分の厚みを制御することができる。インターフェース制御部３２は、第１センサの検出結果を取得して中央処理部３０に出力することができる。インターフェース制御部３２は、第２アクチュエータ２５を制御して第２可動部２４の第２板部材２３の進退を制御し、第２可動部２４のうち筐体１３（本体部３）の外周の外側へ突出している部分の厚みを制御することができる。また、インターフェース制御部３２は、第２センサ２７の検出結果を取得して中央処理部３０に出力することができる。
【００３２】
図５は、本実施形態の表示装置の処理フローを示す図である。制御部５は、表示装置１でコンテンツを表示するための処理を開始した後に、表示すべきコンテンツを示す入力をユーザから受け付ける処理を実行させる制御を行う（ステップＳ１）。
【００３３】
ステップＳ１において、コンテンツ制御部３１は、記憶部３３に格納されているコンテンツ情報データや外部から取得したコンテンツ情報データ等に基づいて、表示可能なコンテンツの一覧を示す一覧データを生成する。中央処理部３０は、一覧データに基づいて、表示可能なコンテンツの一覧を示す画像を表示部２に表示させる。中央処理部３０は、コンテンツの一覧が表示されている間のタッチパッド１６への入力結果を示す入力データをタッチパッド１６から受け取る。中央処理部３０は、入力データと一覧データと比較することによって、表示すべきコンテンツとしてユーザが選択したコンテンツを判定し、表示すべきコンテンツを示すデータをコンテンツ制御部３１に出力する。
【００３４】
制御部５は、表示すべきコンテンツを示すユーザの入力結果に基づいて、コンテンツ情報データを取得する処理を実行させる制御を行う（ステップＳ２）。ステップＳ２において、コンテンツ制御部３１は、表示すべきコンテンツを示すデータとして中央処理部３０から出力されたデータに基づいて、記憶部３３又は表示装置１の外部の記憶媒体から表示すべきコンテンツのコンテンツ情報データを読み出して取得する。
【００３５】
制御部５は、表示すべきコンテンツの閲覧履歴を示す履歴データ（コンテンツ情報データ）が記憶部３３等に格納されている場合に、制御部５は、履歴データに基づいて閲覧履歴を示す画像を表示部２に表示させることができる。制御部５は、コンテンツ制御部３１が取得したコンテンツ情報データのうちコンテンツの総ページ数を示すページ数データに基づいて、閲覧を開始するページを指定する入力をユーザから受け付けることができる。
【００３６】
制御部５は、ステップＳ２で取得したコンテンツ情報データに基づいて、ページ制御を実行する（ステップＳ３）。ページ制御において、制御部５は、表示部２で表示するコンテンツのページに応じて複数の第１板部材２０の進退を制御し、本体部３の外周よりも外側へ突出している第１板部材２０の数を制御することによって、第１可動部２１のうち本体部３の外周よりも外側へ突出している部分の厚みを制御する。
【００３７】
図１に示すように、ユーザは、第１可動部２１のうち本体部３の外周の外側に突出している部分の厚みを触覚で感じることにより、表示されているページがコンテンツのいずれの位置に該当するかを実物の書籍と同様に感じることができる。このように表示装置１は、ユーザが実物の書籍と同様にコンテンツを読み進めることが可能であるので、使い勝手がよい。
【００３８】
ステップＳ３において、制御部５は、閲覧を開始するページを示すデータに基づいて、初期のページ処理を実行する。初期のページ制御において、インターフェース制御部３２は、表示すべきコンテンツのページ数データと第１可動部２１の第１板部材２０の数とに基づいて、１枚の第１板部材２０で表すページ数を決定する。例えば、第１板部材２０の総数がＡ枚（例えば１０枚）であって、表示するコンテンツの総ページ数がＢ（例えば１００ページ）である場合に、インターフェース制御部３２は、第１板部材２０あたりのページ数をＢ／Ａ（例えば１０ページ）に決定する。第１板部材２０あたりのページ数を決定するときに必要な演算は、制御部５の他の部分、例えば中央処理部３０等で実行してもよい。
【００３９】
インターフェース制御部３２は、１枚の第１板部材２０が担当するページ数がＢ／Ａが少数になる場合にＢ／Ａの整数部としてもよいし、ユーザが指定した値にしてもよい。また、コンテンツのうち表示するページの範囲（例えば、章）をユーザが指定可能であり、インターフェース制御部３２は、総ページ数に代えてユーザが指定した範囲のページ数を用いて、第１板部材２０あたりのページ数を決定してもよい。また、インターフェース制御部３２は、複数の第１板部材２０のうち一部の第１板部材２０を筐体１３に収容したままに保持させ、第１板部材２０の総数に代えて実際に進退させる第１板部材２０の数を用いて第１板部材２０あたりのページ数を決定してもよい。
【００４０】
初期のページ制御において、インターフェース制御部３２は、コンテンツの最初のページ又は最後のページから閲覧を開始するページまでのページ数が総ページ数に占める比率が、本体部３の外周の外側に突出している第１板部材２０の数が第１板部材２０の総数に占める比率と概ね等しくなるように、第１板部材２０の進退を制御する。
【００４１】
ここでは説明の便宜上、図１に示すように、表示領域１４にコンテンツの２ページ分が見開きで表示されるとし、表示領域の−Ｘ側に表示されるページの番号（Ｎ）が＋Ｘ側に表示されるページの番号（Ｎ＋１）よりも小さいとする。また、第１板部材２０の総数をＡとし、第１板部材２０あたりのページ数Ｍとする。
【００４２】
インターフェース制御部３２は、本体部３の外周の外側に突出する第２板部材２３の数がＮ／Ｍの整数部となるように、第２アクチュエータ２５を制御する。また、本体部３の外周の外側に突出する第１板部材２０の数が（Ａ−Ｎ／Ｍ）の整数部となるように、第１アクチュエータ２２を制御する。
【００４３】
例えば、第１板部材２０の総数と第２板部材２３の総数がそれぞれ１０枚、総ページ数Ｂが１００ページ、閲覧を開始するページの番号が３１ページである場合に、本体部３の外周の外側に突出する第２板部材２３の数は３枚であり、本体部３の外周の外側に突出する第１板部材の数は７枚である。ユーザは、本体部３の外周の外側に突出した３枚の第２板部材２３の総厚を左手で感じるとともに、本体部３の外周の外側に突出した７枚の第１板部材２０の総厚を右手で感じることによって、読み終わったページ数や残りのページ数がどの程度の量であるかを直感的に知ることができる。
【００４４】
図６は、コンテンツの表示を開始した後のページ制御の説明図である。制御部５は、表示部２がコンテンツを表示している間等に、表示するページを変更する（めくる）旨のユーザからの入力を受け付けることができる。中央処理部３０は、ユーザからの入力結果等に応じて表示部２で表示するページを変更し、インターフェース制御部３２は、ページ制御を実行する。
【００４５】
ここでは、上記の数値例に従って説明する。コンテンツの１ページ目から９ページ目までのいずれかのページが表示部２に表示されている状態で、インターフェース制御部３２は、１０枚の第１板部材２０が筐体１３の外部へ＋Ｘ側に突出しているように第１アクチュエータ２２を制御し、０枚の第２板部材２３が筐体１３の外部へ−Ｘ側へ突出しているように第２アクチュエータ２５を制御する。
【００４６】
制御部５は、表示領域１４の−Ｘ側に（１＋Ｍ）ページ目（ここでは１１ページ目）を表示する場合に、インターフェース制御部３２が第１アクチュエータ２２を制御して、最も表面１０側に配置された第１板部材２０を筐体１３の内部へ収容させ、インターフェース制御部３２が第２アクチュエータ２５を制御して、最も裏面１１側に配置された第２板部材２３を筐体１３の外部へ突出させる。
【００４７】
このように、制御部５は、第１可動部２１のうち本体部３の外周の外側へ突出している部分の厚みを減少させるときに、複数の第２板部材２３の進退を制御することによって第２可動部２４のうち本体部３の外周の外側へ突出している部分の厚みを増加させる。本実施形態において、制御部５は、第１可動部２１のうち本体部３の外周の外側へ突出している部分の厚みと、第２可動部２４のうち本体部３の外周の外側へ突出している部分の厚みとの合計が一定になるように、第１アクチュエータ２２及び第２アクチュエータ２５を制御する。ユーザは、左手で１枚の第２板部材２３の総厚を感じるとともに、右手で９枚の第１板部材２０の総厚を感じることができ、総ページ数に占める閲覧したページ数の比率を実物の書籍を読む場合と同様に感じることができる。
【００４８】
本実施形態において、ページ操作インターフェース４は、第１板部材２０に働く力として第１センサ２６で検出された力、又は第２板部材２３に働く力として第２センサ２７で検出された力が所定の第１方向（例えばＸ軸方向）において閾値以上であった場合に、表示するページを変更する旨のユーザからの入力があったと判定する。なお、表示装置１は、表示するページを変更する操作を表示部２のタッチパッド１６で行うことも可能なように、構成されている。
【００４９】
ところで、ユーザがコンテンツを読み進めるうちに、ユーザが気になる箇所に印を付けたくなることがありうる。本実施形態において、制御部５は、第１板部材２０に働く力として第１センサ２６で検出された力、又は第２板部材２３に働く力として第１センサ２６で検出された力が所定の第２方向（例えばＹ軸方向）において閾値以上であった場合に、表示しているページを登録ページとして登録する処理を行うことができる。登録ページの番号を示すデータは、コンテンツ情報データの一部として記憶部３３に格納される。なお、表示装置１は、表示部２に表示されているページ上のタッチパッド１６に触れることによって指定された箇所を示すデータを、例えば閲覧履歴を示す履歴データの一部として記憶部３３に格納することもできる。ユーザに指定された箇所を含むページは、登録ページとして処理される。
【００５０】
制御部５は、表示部２で表示するコンテンツが予め登録された箇所又はページを含む場合に、図５に示すように初期のページ処理を実行した後にドッグイヤー制御を実行する（ステップＳ４）。
【００５１】
図７は、本実施形態の表示装置のドッグイヤー制御の説明図である。図８は、本実施形態の表示装置のドッグイヤー制御の説明図である。ドッグイヤー制御において、インターフェース制御部３２は、第１板部材２０の数（例えば１０枚）とコンテンツの総ページ数（例えば１００ページ）とに基づいて各第１板部材２０に割り当てられたページの範囲に登録ページが含まれる場合に、この第１板部材２０が本体部３に収容されるように、第１アクチュエータ２２を制御する。
【００５２】
例えば、上記の数値例において、第１可動部２１のうち裏面１１側から４番目（表面１０側から７番面）の第１板部材（図８に符号Ｘで示す）は、６１ページ目から７０ページ目までのページ範囲を担当する第１板部材２０になる。例えば、６１目ページから７０ページ目までのページ範囲に登録ページが含まれる場合に、図７及び図８に示すように登録ページを担当する第１板部材Ｘは、本体部３に収容され、本体部３の厚み方向で第１板部材Ｘに隣接する１対の第１板部材２０の間に隙間ができる。
【００５３】
ところで、実物の書籍において、ページの角が折り返されてドッグイヤーが設けられていると、ドッグイヤーが設けられているページに相当する部分が他のページに対して不連続（隙間）になる。ユーザは、この隙間を右手で感じることによって、以前の読書等で気になった箇所を直感的に知ることができる。本実施形態の表示装置１は、第１板部材Ｘが他の第１板部材２０に対して本体部３の内側に向って退去することで形成される隙間をユーザが感じることによって、表示されているページよりも後のページに登録ページが存在することをユーザが実物の書籍と同様に直感的に知ることができる。
【００５４】
本実施形態において、制御部５は、登録されたページであることを示す画像とともに登録ページを表示部２に表示させる。登録されたページであることを示す画像は、例えばページの角が三角形に折り返された画像であってもよい。本実施形態において、制御部５は、表示されているページよりも後方の登録ページまで一括してページをとばして、登録ページを表示させることができる。この処理は、例えば、ユーザが第１可動部２１を操作することによって実行される。
【００５５】
なお、制御部５は、ドッグイヤー制御を初期のページ制御と並行して実行することもできる。例えば、制御部５は、ドッグイヤー制御によって本体部３に収容される第１板部材Ｘを、ページ制御を実行するときに本体部３の外周の外側に突出させないで本体部３に収容したままの状態に保持し、他の第１板部材２０に関するページ制御を実行してもよい。
【００５６】
本実施形態において、制御部５は、ステップＳ２でコンテンツ制御部３１が取得したコンテンツ情報データのうちコンテンツの種類を示す種類データに基づいて、コンテンツの表示方法を切替えることができる。
【００５７】
例えば、コンテンツの種類が小説等である場合には、一般に結末から読むというような状況はあまり想定されない。制御部５は、表示部２で表示するコンテンツの種類データが「小説」に対応する場合に、ページめくりは順次動作しか受け付けないように、インターフェース制御部を動作させることもできる。すなわち、制御部５は、コンテンツの開始ページから終了ページへ向う順にページを送りながら表示部２に表示させ、第１板部材２０を本体部３の厚み方向に並ぶ順に本体部３の外周の外側に向って進退させる。
【００５８】
本実施形態の制御部５は、コンテンツの種類が新聞やビジネス書等の実用書である場合に、ドッグイヤー制御の代わりに抽出表示制御を行うことができる。図９は、本実施形態の表示装置の抽出表示制御の説明図である。図１０は、本実施形態の表示装置の抽出表示制御の説明図である。
【００５９】
抽出表示制御において、インターフェース制御部３２は、ドッグイヤー制御と同様に第１板部材２０の数とコンテンツの総ページ数とに基づいて各第１板部材２０に担当するページの範囲を割り当てる。図９及び図１０に示すように、インターフェース制御部３２は、担当するページの範囲に登録ページが含まれる第１板部材２０が本体部３の外周の外側に突出するように、また担当するページの範囲に登録ページが含まれない第１板部材２０が本体部３に収容されるように、第１アクチュエータ２２を制御する。抽出表示制御において、制御部５は、コンテンツのうち登録されていないページをとばしながら登録ページのみを順に表示させる。これにより、表示装置１は、ユーザの関心が高いページを抽出してコンテンツを表示することができる。
【００６０】
本実施形態の制御部５は、コンテンツの種類が「写真集」等である場合に、ドッグイヤー制御の代わりにスライドショー制御を行うことができる。図１１は、本実施形態の表示装置のスライドショー制御の説明図である。図１２は、本実施形態の表示装置のスライドショー制御の説明図である。
【００６１】
スライドショー制御において、インターフェース制御部３２は、図１１及び図１２に示すように全ての第１板部材２０が本体部３に収容されるように、第１アクチュエータ２２を制御する。また、制御部５は、コンテンツの開始ページから終了ページへ向う順にページを所定の時間ごとに自動で送りながら表示する。なお、制御部５は、スライドショー制御において、ページを所定の時間ごとに自動で送りながらコンテンツを表示させ、第１板部材２０を本体部３の厚み方向に並ぶ順に本体部３の外周の外側に向って進退させることもできる。
【００６２】
以上のような構成の本実施形態の表示装置１は、第１可動部２１や第２可動部２４に触れることによって、表示されているページがコンテンツ全体のうちのどの部分であるかを直感的に知ることができる。このように、表示装置１は、ページの扱いを実物の書籍等に近づけることができるので、使い勝手のよい表示装置になっている。
【００６３】
なお、本発明の技術範囲は、上記の実施形態あるいは変形例に限定されるものではない。例えば、上記の実施形態で説明した要件の１つ以上は、省略されることがある。また、上記の実施形態で説明した要件は、適宜組み合わせることができる。
【００６４】
上記の実施形態において、表示装置１は、第１可動部２１及び第２可動部２４を備えているが、第１可動部２１を備えているとともに第２可動部２４を備えていなくてもよい。例えば、表示領域１４にコンテンツを１ページごとに表示し、制御部５は、第１可動部２１のうち本体部３の外部へ突出している部分の厚みが表示しているページよりも前のページ数又は後のページ数に応じて変化するように、第１板部材２０の進退を制御してもよい。
【００６５】
また、表示装置１は、本体部３の各辺に第１可動部２１と同様の可動部を備えていてもよく、この場合に制御部５は、姿勢センサにより検出された本体部３の姿勢に応じて４つの可動部を制御してもよい。例えば、表示装置１は、図１に示した第１可動部２１及び第２可動部２４に加えて、本体部３の＋Ｙ側と−Ｙ側のそれぞれに、第１可動部２１と同様の可動部を備えていてもよい。制御部５は、本体部３の＋Ｙ側が−Ｙ側よりも上方に配置されている姿勢である場合に、上記の実施形態と同様に第１可動部２１及び第２可動部２４を制御し、Ｙ軸方向に配列された１対の可動部を本体部に収容された状態を保持するように制御してもよい。また、制御部５は、本体部３の＋Ｘ側が−Ｘ側よりも上方に配置されている姿勢である場合に、Ｙ軸方向に配列された１対の可動部を上記の実施形態の第１可動部２１及び第２可動部２４と同様に制御し、第１可動部２１及び第２可動部２４を本体部に収容された状態を保持するように制御してもよい。
【００６６】
また、表示装置１は、本体部３の外周の一辺に第１可動部２１と同様の可動部を複数備えていてもよい。例えば、１つ目の可動部は、コンテンツ全体のページ範囲を担当し、二つ目の可動部は、１つ目の可動部のうちの１枚の板部材が担当するページ範囲を担当していてもよい。この場合に、複数の可動部は、板部材あたりのページ数が互いに異なっていてもよい。例えば、一つ目の可動部は１０ページ送られるたびに板部材が本体部３の外周の外側に向って進退し、二つ目の可動部は１ページ送られるたびに板部材が本体部３の外周の外側に向って進退してもよい。
【符号の説明】
【００６７】
１・・・表示装置、２・・・表示部、３・・・本体部、４・・・ページ操作インターフェース、５・・・制御部、１４・・・表示領域、２０・・・第１板部材、２１・・・第１可動部、２３・・・第２板部材、２４・・・第２可動部
【図１】
2012255877.tif 000003
【図２】
2012255877.tif 000004
【図３】
2012255877.tif 000005
【図４】
2012255877.tif 000006
【図５】
2012255877.tif 000007
【図６】
2012255877.tif 000008
【図７】
2012255877.tif 000009
【図８】
2012255877.tif 000010
【図９】
2012255877.tif 000011
【図１０】
2012255877.tif 000012
【図１１】
2012255877.tif 000013
【図１２】
2012255877.tif 000014